(57)【要約】【課題】グレアの発生を防止し、天井面と壁面とを間接照明することができる照明装置を提供する。【解決手段】照明装置は、光源部と、光源部が所定面の方へ出射する光の一部を遮光する遮光部とを備え、光源部は、遮光部の外周に向かって光を出射するようにしてあり、光源部からの光の出射方向に対して遮光部と反対側を開放してあって、所定面に垂直な方向に沿って所定面からの離隔寸法がそれぞれ最大となる光源部の出射箇所及び遮光部の外周箇所を繋ぐ周方向の仮想直線が、遮光部の外周に向かって前記所定面に近づくように傾斜してある。【選択図】図２
2015197945.tif 000002
【特許請求の範囲】
【請求項１】
光源部と、
該光源部が所定面の方へ出射する光の一部を遮光する遮光部と
を備え、
前記光源部は、
前記遮光部の外周に向かって光を出射するようにしてあり、
前記光源部からの光の出射方向に対して前記遮光部と反対側を開放してあって、
前記所定面に垂直な方向に沿って該所定面からの離隔寸法がそれぞれ最大となる前記光源部の出射箇所及び前記遮光部の外周箇所を繋ぐ周方向の仮想直線が、前記遮光部の外周に向かって前記所定面に近づくように傾斜してあることを特徴とする照明装置。
【請求項２】
前記光源部の光軸と前記遮光部との間に、前記遮光部の外周に向かって前記所定面から離隔するように傾斜させた反射部を備えることを特徴とする請求項１に記載の照明装置。
【請求項３】
天井面に取り付けるための取付部を備え、
該取付部を前記天井面に取り付けた状態で、前記天井面に垂直な方向に沿って前記遮光部が前記光源部よりも前記天井面から離隔するようにしてあることを特徴とする請求項１又は請求項２に記載の照明装置。
【請求項４】
前記光源部はレンズを有していることを特徴とする請求項１から請求項３までのいずれか１項に記載の照明装置。
【請求項５】
前記光源部は環状に配置されていることを特徴とする請求項１から請求項４までのいずれか１項に記載の照明装置。
【発明の詳細な説明】
【技術分野】
【０００１】
本発明は、間接照明を実現することができる照明装置に関する。
【背景技術】
【０００２】
従来の間接照明としては、例えば、主に天井面を照らすものとしてコーブ照明があり、また主に壁面を照らすものとしてコーニス照明が知られている。
【０００３】
また、天井面を照明するものとして、例えば、天井面等に取り付けられ、主に下方を照明する主光源と、器具本体と天井面との間に設けられ、天井面を照明する間接光源とを備えた照明器具が知られている（特許文献１参照）。
【先行技術文献】
【特許文献】
【０００４】
【特許文献１】特開２０１３−１４５６８５号公報
【発明の概要】
【発明が解決しようとする課題】
【０００５】
特許文献１の照明装置では、光源が器具本体と天井面との間に設けられているので、光源が直接見えることなく天井面を間接照明することができる。しかし、天井面を照明することはできるものの、周りの壁面を間接照明することはできない。仮に壁面を照明するように光源を設けた場合には、光源が直接視認され、グレアが発生する。
【０００６】
一方で、壁面を照明するコーニス照明では、壁や天井に光源の光の一部を遮光する構造物を設け、その中に光源を設ける必要があり、間接照明のための工事費用が高価になるという問題がある。また、一度工事をすると、後から変更することが困難であるという問題もあり、部屋のレイアウト変更などに対応することができない。さらに、天井と壁とが交わる４つの稜線すべてに構造物を取り付けることは、工事費用という観点のみならず、部屋の外観上の違和感もある。このため、従来、天井面と壁面とを同時に間接照明することは困難であった。
【０００７】
本発明は斯かる事情に鑑みてなされたものであり、グレアの発生を防止し、天井面と壁面とを間接照明することができる照明装置を提供することを目的とする。
【課題を解決するための手段】
【０００８】
本発明に係る照明装置は、光源部と、該光源部が所定面の方へ出射する光の一部を遮光する遮光部とを備え、前記光源部は、前記遮光部の外周に向かって光を出射するようにしてあり、前記光源部からの光の出射方向に対して前記遮光部と反対側を開放してあって、前記所定面に垂直な方向に沿って該所定面からの離隔寸法がそれぞれ最大となる前記光源部の出射箇所及び前記遮光部の外周箇所を繋ぐ周方向の仮想直線が、前記遮光部の外周に向かって前記所定面に近づくように傾斜してあることを特徴とする。
【０００９】
本発明に係る照明装置は、前記光源部の光軸と前記遮光部との間に、前記遮光部の外周に向かって前記所定面から離隔するように傾斜させた反射部を備えることを特徴とする。
【００１０】
本発明に係る照明装置は、天井面に取り付けるための取付部を備え、該取付部を前記天井面に取り付けた状態で、前記天井面に垂直な方向に沿って前記遮光部が前記光源部よりも前記天井面から離隔するようにしてあることを特徴とする。
【００１１】
本発明に係る照明装置は、前記光源部はレンズを有していることを特徴とする。
【００１２】
本発明に係る照明装置は、前記光源部は環状に配置されていることを特徴とする。
【発明の効果】
【００１３】
本発明によれば、グレアの発生を防止し、天井面と壁面とを同時に間接照明することができる。
【図面の簡単な説明】
【００１４】
【図１】本実施の形態の照明装置の設置例を示す模式図である。
【図２】本実施の形態の第１実施例の照明装置の要部を示す断面図である。
【図３】本実施の形態の第１実施例の照明装置のＬＥＤ基板及びレンズの配置例を示す平面図である。
【図４】本実施の形態の第１実施例の照明装置のレンズ及びカバーの位置関係の一例を示す断面図である。
【図５】仮想直線と天井面とがなす角度と壁の照射範囲との関係の一例を示す説明図である。
【図６】本実施の形態の第１実施例の照明装置のレンズによる光の出射方向の一例を示す模式図である。
【図７】本実施の形態の第２実施例の照明装置のＬＥＤ基板及びレンズの配置例を示す平面図である。
【図８】本実施の形態の第２実施例の照明装置のＬＥＤ基板の光束の一例を示す説明図である。
【図９】本実施の形態の第３実施例の照明装置のＬＥＤ基板及びレンズの配置例を示す平面図である。
【図１０】本実施の形態の第３実施例の照明装置のＬＥＤ基板の点灯及び消灯制御の一例を示す説明図である。
【図１１】本実施の形態の第４実施例の照明装置の放熱板を示す外観斜視図である。
【図１２】本実施の形態の第４実施例の照明装置の放熱板の側面図である。
【図１３】本実施の形態の第５実施例の照明装置の要部を示す断面図である。
【図１４】本実施の形態の第６実施例の照明装置の側面から見た要部を示す断面図である。
【図１５】本実施の形態の第６実施例の照明装置の上面から見た要部を示す断面図である。
【図１６】本実施の形態の第６実施例の照明装置の正面から見た要部を示す断面図である。
【発明を実施するための形態】
【００１５】
（第１実施形態、第１実施例）
以下、本発明をその実施の形態を示す図面に基づいて説明する。図１は本実施の形態の照明装置１００の設置例を示す模式図である。照明装置１００を設置する部屋は、例えば、複数（例えば、４つ）の壁（壁面）で囲まれている。図１の例では、対向する２つの壁を図示している。そして、照明装置１００は、例えば、部屋の中央又は中央付近の天井（天井面）に取り付けられる。照明装置１００は、天井面と略平行な方向へ光を出射して、照明装置１００の照明は、部屋の周囲の各壁と天井とが交差する稜線及び該稜線の近傍の領域（例えば、図１の符号Ｓで示す破線の領域）を主に照明し、床には直接照明しない。以下、本実施の形態の照明装置１００について説明する。
【００１６】
図２は本実施の形態の第１実施例の照明装置１００の要部を示す断面図であり、図３は本実施の形態の第１実施例の照明装置１００のＬＥＤ基板３０及びレンズ３２の配置例を示す平面図である。なお、図３はＬＥＤ基板３０及びレンズ３２の配置が解るように、便宜上図２に例示した部品のいくつかを省略して図示している。図１及び図２に示すように、照明装置１００は、金属製又は合成樹脂製であって、遮光部としての円板状のカバー１０を備える。
【００１７】
カバー１０は、中央部に円形状の開口を形成してあり、当該開口には、センタカバー１１を取り付けるようにしてある。カバー１０の外周は、略Ｌ字状に屈曲してあり、屈曲した部分には、外周モール１２を周設してある。外周モール１２は、主に外観上の観点から設けられているので、具備しない構成であってもよい。また、カバー１０の開口の縁部は、後述の電源ボックス１４を固定するため、略Ｌ字状に屈曲させた屈曲部を延設している。なお、照明装置１００を天井に取り付けた場合に、ユーザは、カバー１０の下方から天井を見上げることになるので、カバー１０を天井と同じようなデザイン（色合い、模様など）としてもよく、逆に照明装置１００が目立つように天井と異なるデザインとしてもよい。
【００１８】
照明装置１００の中央部には、取付部としてのアダプタ１６を設けている。天井に固定されたローゼット又は引掛けシーリング１５にアダプタ１６を固定し、アダプタ１６に対して照明装置１００を押し上げることにより、照明装置１００を天井に取り付けることができる。なお、照明装置１００を天井に取り付けた状態で、カバー１０の表面は、天井面と略平行（平行を含む）とすることができる。
【００１９】
アダプタ１６の周囲には、回路基板、電気部品及び電子部品等で構成される電源部２０を収容した電源ボックス１４を配置してある。電源部２０は、後述のＬＥＤ３１を点灯及び消灯する回路、各ＬＥＤ３１に流れる電流を調整する回路などを含む。電源ボックス１４は、カバー１０の屈曲部に固定されている。また、電源ボックス１４には、クッション１７を固定してある。クッション１７は、天井との緩衝材として機能し、照明装置１００の揺動を防止して天井面と略平行を保つことができる。また、クッション１７は、照明装置１００が天井に対して回動することを防止することができる。
【００２０】
電源ボックス１４の外周部の近傍には、光源としてのＬＥＤ３１を複数実装したＬＥＤ基板３０をお互いに隣接させて、ＬＥＤ３１の実装面がカバー１０に対して略垂直になるように環状に配置してある。環状とは、例えば、カバー１０の表面に略平行な平面上で、例えば、五角形、六角形、八角形などの多角形、あるいは円形状をなすことをいう。図３の例では、８枚のＬＥＤ基板３０が、正八角形をなすように配置されているが、これに限定されるものではない。
【００２１】
ＬＥＤ基板３０は、例えば、矩形状をなす。各ＬＥＤ基板３０には、複数のＬＥＤ３１が、例えば、ＬＥＤ基板３０の長手方向に適長離隔して配置してある。ＬＥＤ３１は、白色ＬＥＤのみでもよく、電球色ＬＥＤのみでもよく、白色ＬＥＤと電球色ＬＥＤとの組み合わせでもよく、白色ＬＥＤ及び電球色ＬＥＤに青色ＬＥＤを組み合わせてもよく、あるいは白色ＬＥＤ及び電球色ＬＥＤに赤色ＬＥＤを組み合わせてもよい。各色のＬＥＤの数又は数の割合は適宜設定すればよい。
【００２２】
各ＬＥＤ基板３０には、アルミニウムなどの熱伝導性に優れた放熱板１３を取り付けてあり、ＬＥＤ３１及びＬＥＤ基板３０を放熱することができる。なお、図２の例では、放熱板１３の一端側を略Ｕ字状に形成してあるが、放熱板１３の形状は図２の例に限定されるものではない。放熱板１３は、平面視が略矩形状であり、カバー１０に螺子等で固定してある。
【００２３】
各ＬＥＤ基板３０のＬＥＤ３１実装面側には、ＬＥＤ基板３０の長手方向の寸法と同寸法を有し、ＬＥＤ３１の光を集光するレンズ３２を取り付けてある。ＬＥＤ３１及びレンズ３２により光源部をなす。図３に示すように、８枚のＬＥＤ基板３０それぞれに対応して、８個のレンズ３２を環状に配置してある。すなわち、各レンズ３２それぞれの光軸が所定面に略平行となるようにＬＥＤ３１を実装したＬＥＤ基板３０及びレンズ３２を環状に配置してある。なお、本実施の形態では、レンズ３２をＬＥＤ基板３０に配置しているが、レンズ３２は必須の構成ではない。集光性の高いＬＥＤ３１を使用すれば、レンズ３２を有していない構成であってもよい。
【００２４】
本実施の形態において、所定面は、照明装置１００を天井面に取り付けた場合、例えば、照明装置１００の最下部（又は光源より下方に位置する部分、例えば、カバー１０の表面）を通り天井面と略平行な面とすることができるが、天井面からの所定面の位置（距離）は適宜決定することができる。各レンズ３２の光軸は、所定面に略平行であるので、光軸は天井面に略平行ということになる。
【００２５】
レンズ３２と放熱板１３との間には、平面視が略扇状の反射部としての反射板１９を取り付けてある。反射板１９は、ＰＥＴ（ポリエチレンテレフタレート）又はＰＰ（ポリプロピレン）等の材料からなり、レンズ３２からカバー１０の方（天井面と反対側）へ出射した光を反射させ、レンズ３２の光軸の方へ反射光を導くことができる。反射板１９の材料は、これに限定されるものではなく、ＬＥＤ３１やＬＥＤ基板３０から発生する熱による温度上昇に耐えうる材料であればよい。また、反射板１９は、カバー１０と一体として形成されていてもよい。
【００２６】
レンズ３２の上方（天井面側）には、防塵カバーを兼ねた遮光板１８を取り付けてある。遮光板１８により、塵等が照明装置１００内部に侵入することを防止するとともに、レンズ３２から天井に向かって略垂直に漏れる光を遮光する。これにより、照明装置１００の中央部に対向する天井面が照明されることを防止し、ユーザが違和感を持つことを防止することができる。
【００２７】
次に、本実施の形態の第１実施例の照明装置１００による間接照明について説明する。図４は本実施の形態の第１実施例の照明装置１００のレンズ３２及びカバー１０の位置関係の一例を示す断面図である。
【００２８】
ＬＥＤ３１の光は、レンズ３２を通ってカバー１０の外周に向かってレンズ３２の光軸と略平行に出射される。遮光部としてのカバー１０は、環状に配置したレンズ３２よりも大きい外周を有するので、レンズ３２からカバー１０の方へ出射する光の一部は、カバー１０により遮光される。
【００２９】
図４に示すように、カバー１０の表面と同一面を所定面１とする。所定面１に垂直な方向に沿って所定面１からの離隔寸法がそれぞれ最大となるレンズ３２の出射箇所３２１及びカバー１０の外周箇所１０１を繋ぐ周方向の仮想直線２が、カバー１０の外周に向かって所定面１に近づくように傾斜してある。すなわち、レンズ３２から出射した光は、カバー１０の外周箇所１０１で遮光されることで、周方向の複数の仮想直線２で画定される仮想平面より下方にはほとんど出射されない。
【００３０】
また、別の見方をすれば、所定面１に垂直な方向に沿って所定面１からの離隔寸法が最大となるレンズ３２の出射箇所３２１と所定面１との距離（寸法）をＤ１とし、所定面１に垂直な方向に沿って所定面１からの離隔寸法が最大となるカバー１０の外周箇所１０１と所定面１との距離（寸法）をＤ２とすると、Ｄ１＞Ｄ２の関係が成り立つ。なお、所定面１は、カバー１０の外周箇所１０１よりも下方（すなわち天井面から離れる方向）であれば、垂直方向に沿ったいずれの位置でもよい。
【００３１】
図４に示すように、所定面１と仮想直線２で画定される仮想平面とのなす角度をθ、すなわち仮想直線２と天井面とのなす角度をθとする。また、天井面の平行な方向であって、照明装置１００の中心と出射箇所３２１との間の距離をＲ１、照明装置１００の中心と外周箇所１０１との間の距離をＲ２、照明装置１００の中心と壁（壁面）との間の距離をＲ３とする。また、外周箇所１０１と天井との間の距離をＤ３とする。また、壁の天井から下方の照射範囲の垂直方向の距離をＳとする。
【００３２】
この場合、式（１）が成り立つ。また、θ、Ｒ２、Ｒ３、Ｄ３の間には、式（２）が成り立つようにすることが好ましい。
【００３３】
【数１】
2015197945.tif 000003
【００３４】
式（２）が成立する際の照射範囲Ｓは、略５００ｍｍ〜７００ｍｍとなる。逆に言えば、照射範囲Ｓを５００ｍｍ〜７００ｍｍの範囲にするために、式（２）が成立するようにすることができる。
【００３５】
照射範囲Ｓが５００ｍｍ未満の場合、十分な間接照明をすることができない。逆に言えば、照射範囲Ｓを５００ｍｍ以上とすることにより、間接照明を十分に行うことができる。また、照射範囲Ｓが７００ｍｍを超える場合、グレアを感じるからである。すなわち、天井の高さは一般的に２４００ｍｍであり、人が壁の端に立ったときの目線の高さは１７００ｍｍ程度となる。また、目線と頭の頂上までの距離は略１５０ｍｍ〜２００ｍｍ程度ある。そこで、照射範囲Ｓを７００ｍｍ以下とすることにより、身長が比較的高い人（例えば、身長が１８５０ｍｍ）が壁の端に立った場合でも、目線の位置に照明装置１００からの光が直接入らないのでグレアを防止することができる。
【００３６】
図５は仮想直線２と天井面とがなす角度θと壁の照射範囲Ｓとの関係の一例を示す説明図である。図５において、角度θを０°から１７°に変化させ、外周箇所の位置（Ｄ１−Ｄ２）を０から３８．２２ｍｍに変化させた場合、照明装置（照明器具）１００の中心から壁までの距離に応じて、照射範囲Ｓ（天井からの距離）がどのように変化するかを示す。なお、図５の数値例は、天井の高さを２４００ｍｍ、距離Ｒ１を１２５ｍｍ、Ｄ３−（Ｄ１−Ｄ２）を６０ｍｍとしている。
【００３７】
例えば、角度θが１５°である場合、８畳の部屋では、照射範囲Ｓが５０９ｍｍとなり、１４畳の部屋では６６５ｍｍとなる。従って、角度θ１５°とすることにより、一部屋の大きさとして一般的な８〜１４畳に対応することができる。
【００３８】
また、角度θが５°である場合、照明器具の中心から壁までの距離Ｒ３が７０００ｍｍのときに照射範囲Ｓは６６１ｍｍとなり、照明器具の中心から壁までの距離Ｒ３が８０００ｍｍのときに照射範囲Ｓは７４９ｍｍとなり、照明器具の中心からの距離が７ｍ程度であれば、グレアが発生しない。また、角度θが４°である場合、照明器具の中心から壁までの距離Ｒ３が９０００ｍｍのときに照射範囲Ｓは６８１ｍｍとなり、照明器具の中心からの距離が９ｍ程度であれば、グレアが発生しない。従って、部屋が正方形ではなく、ある壁だけが照明装置からの距離が、他の壁よりも長いような部屋の場合、角度θを４〜５°程度にすべくアタッチメントを装着することにより、所望の方向の壁の近くに立った人がグレアを感じすることを防止することができる。また、部屋の中に上下の部屋を繋ぐ階段を設けたような場合、照明装置１００から階段の方向に対して、角度θを４〜５°程度、あるいは適宜の角度に設定することにより、階段を降りる際に照明装置１００からの光が直接目に入るのを防止してグレアを防止することができる。なお、角度θは、部屋の形状や大きさに応じて、適宜設定することができる。
【００３９】
上述のように、ＬＥＤ３１、レンズ３２が環状に配置されているので、例えば、４つの壁面で囲まれた部屋の天井面に照明装置１００を取り付けた場合、ＬＥＤ３１からの光は、４つの壁面すべての方向に出射される。
【００４０】
図６は本実施の形態の第１実施例の照明装置１００のレンズ３２による光の出射方向の一例を示す模式図である。図６に示すように、ＬＥＤ３１の光はレンズ３２で光軸に略平行となるように集光される。図６の例では、レンズ３２で集光される大部分の光を、符号Ｌ１及びＬ２で示す直線で囲まれた領域（破線で示す領域）として模式的に表している。そして、レンズ３２の光軸は、天井面に略平行となるので、ＬＥＤ３１からの光を、部屋の周囲の各壁面と天井面とが交差する稜線及び該稜線の近傍の領域に向けて出射することができる。
【００４１】
また、所定面１は、天井面と略平行であって、例えば、照明装置１００の最下部を通る面であるので、カバー１０は、ＬＥＤ３１の光が下方（例えば、床の方）へ出射するのを遮ることができる。図６の例では、符号Ｌ３で示す直線よりも下方には、ほとんど光を照射しないようにすることができる。
【００４２】
上述の構成により、照明装置１００を天井面に取り付けるだけで、各壁面と天井面とが交差する稜線及び該稜線の近傍の領域、すなわち天井面の壁面側の一部及びすべての壁面の天井面側の一部を間接照明することができる。そして、１台の照明装置により、コーブ照明とすべての壁面にコーニス照明とを設置したのと同様の間接照明を安価、かつ簡単に実現することができる。
【００４３】
また、第１実施例では、レンズ３２の光軸とカバー１０との間に、カバー１０の外周に向かって所定面１から離隔するように傾斜させた反射板１９を備える。反射板１９は、カバー１０の外周に向かって所定面１から離隔するように傾斜させてあるので、ＬＥＤ３１からの光を、光軸に沿った方向へ反射させることができ、各壁面と天井面とが交差する稜線又は該稜線の近傍の領域の方へ反射させることができる。
【００４４】
また、第１実施例では、レンズ３２の出射箇所３２１とカバー１０の外周箇所１０１との間の天井側を開放している。すなわち、レンズ３２の光軸に対してカバー１０と反対側を開放している。かかる構成により、ＬＥＤ３１からの光を天井面の方へ出射することができる。ただ、レンズ３２の光軸は、天井面に対して略平行になっており、レンズ３２は集光レンズである。したがって、ＬＥＤ３１からの光の大部分は、概略帯状となって光軸の方向に向かって出射されるので、レンズ３２の光軸に対してカバー１０と反対側を開放しても、カバー１０に対応する天井の領域があまり強く照明されることはなく、各壁面と天井面とが交差する稜線又は該稜線の近傍の領域を照明（間接照明）することができる。なお、上述の実施例では、レンズ３２の出射箇所３２１とカバー１０の外周箇所１０１との間の天井側を開放しているが、透光性を有する透光カバーで覆うこともできる。
【００４５】
また、第１実施例では、天井面に取り付けるためのアダプタ１６を備え、アダプタ１６をローゼット又は引掛けシーリング１５に固定して照明装置１００を天井に取り付けた状態で、天井面に垂直な方向に沿ってカバー１０がＬＥＤ３１及びレンズ３２よりも天井面から離隔している。これにより、ＬＥＤ３１からの光が、天井面と反対側、すなわち床の方へ出射されることを遮るので、主に天井面と壁面とを照明する間接照明を実現することができる。
【００４６】
上述のように、本実施の形態では、シーリングライト等と同等又は小さな照明装置１００を天井の中央部に取り付けるだけで、従来の天井中央のコーブ照明と部屋の周囲のすべての壁にコーニス照明とを設けたのと同様の間接照明を、簡便かつ安価に実現することができる。壁面の間接照明は、図１に例示したように、例えば、壁の天井から５００ｍｍ程度の範囲を主に照明することができる。
【００４７】
また、ＬＥＤ３１及びレンズ３２（光源部）に対して天井と反対側に非透光性、すなわち遮光機能を有するカバー１０を設けているので、例えば、部屋の隅に立った人が照明装置１００の方を見た場合でも、ＬＥＤ３１からの光が直接目に入ることを防止することができる。
【００４８】
また、照明装置１００を天井の中央付近に取り付けるだけで、部屋の大小にかかわらず、部屋内を均等に間接照明することができる。
【００４９】
また、青色の光を照射することにより、海の底から海面を見ているような雰囲気を作り出すことができ、視覚的に落ち着いた雰囲気を実現し、鎮静作用を高め、癒し効果を高めた間接照明を実現することができる。
【００５０】
（第２実施例）
図７は本実施の形態の第２実施例の照明装置１００のＬＥＤ基板３０及びレンズ３２の配置例を示す平面図であり、図８は本実施の形態の第２実施例の照明装置１００のＬＥＤ基板３０の光束の一例を示す説明図である。第２実施例では、ＬＥＤ基板３０の配置は、第１実施例と同様であるが、それぞれのＬＥＤ基板３０に実装したＬＥＤ３１の数が異なり、光束が異なるようにしている。
【００５１】
便宜上、８枚のＬＥＤ基板を、符号３０Ａから３０Ｈで示し、図７に示すように、ＬＥＤ基板３０ＡからＬＥＤ基板３０Ｈを反時計回りに配置したとする。そして、図８に示すように、ＬＥＤ基板３０Ａ、３０Ｅに実装したＬＥＤ３１の数を多くすることにより、光束を高くする。また、ＬＥＤ基板３０Ｂ、３０Ｄ、３０Ｆ、３０Ｈに実装したＬＥＤ３１の数を中程度にすることにより、光束を中程度にする。さらに、ＬＥＤ基板３０Ｃ、３０Ｇに実装したＬＥＤ３１の数を少なくすることにより、光束を低くする。なお、図８に例示するような光束の制御は、予めＬＥＤ基板３０に実装するＬＥＤ３１の数を設定しておくことにより行うこともできるが、ＬＥＤ基板３０に実装するＬＥＤ３１の数は同数にしておいて、ＬＥＤ３１に流す電流値を、例えば、リモコン等を操作することにより、制御するようにしてもよい。
【００５２】
そうすると、図７に示すように、矢印で示す長手方向には、強い光を出射することができ、長手方向に直交する方向には弱い光を出射することができるので、廊下のような細長い場所でも、長手方向が廊下の方向になるように照明装置を取り付けることにより、廊下のような細長い場所でも、コーブ照明とコーニス照明とを設けたのと同様の間接照明を、簡便かつ安価に実現することができる。また、集光した強い光を廊下のような長い空間に照射するので、通常の照明に比べて長い距離を１台の照明器具で、照らす事が出来るので、設置する照明器具の台数を削減する事ができる。
【００５３】
（第３実施例）
図９は本実施の形態の第３実施例の照明装置１００のＬＥＤ基板３０及びレンズ３２の配置例を示す平面図であり、図１０は本実施の形態の第３実施例の照明装置１００のＬＥＤ基板３０の点灯及び消灯制御の一例を示す説明図である。第３実施例では、ＬＥＤ基板３０の配置は、第１実施例と同様であるが、便宜上、ＬＥＤ基板３０をグループに区分けする。すなわち、図９に示すように、隣り合う２枚のＬＥＤ基板３０を１組として、４つのグループ３０Ａ、３０Ｂ、３０Ｃ、３０Ｄとする。
【００５４】
図１０に示すように、ＬＥＤ基板３０の各グループ３０Ａ〜３０Ｄの点灯・消灯状態として、状態１から状態４までを定めるとする。例えば、状態１では、グループ３０ＡのＬＥＤ基板３０を消灯（ＬＥＤ基板３０に実装しているＬＥＤ３１を消灯）させ、残りのグループ３０Ｂ〜３０ＤのＬＥＤ基板３０を点灯（ＬＥＤ基板３０に実装しているＬＥＤ３１を消灯）させる。他の状態２〜４についても同様である。なお、状態１〜４は、予め照明装置１００において設定しておくこともでき、あるいはリモコン等を操作することにより、点灯及び消灯を制御するようにしてもよい。
【００５５】
第３実施例では、例えば、４つの壁で囲まれた部屋の天井に照明装置１００を取り付けるだけで、４方向の壁のうち、４方向すべて、所望の３方向、所望の２方向又は所望の１方向の壁のいずれかと天井とを照明することができる。特に、部屋の形状、あるいは使用状態に合わせて、コーブ照明とコーニス照明とを設けたのと同様の間接照明を、簡便かつ安価に実現することができる。
【００５６】
（第４実施例）
図１１は本実施の形態の第４実施例の照明装置１００の放熱板１１３を示す外観斜視図であり、図１２は本実施の形態の第４実施例の照明装置１００の放熱板１１３の側面図である。図１２では、簡便のため、ＬＥＤ３１を実装したＬＥＤ基板３０及びレンズ３２を１つ装着した例を示す。
【００５７】
放熱板１１３は、１枚の板体１１５の中央に六角形状の開口部１１６を設け、板体１１５の中央部を略Ｌ字状に切り起して、ＬＥＤ基板３０のＬＥＤ３１実装面と反対側の面を当接させる当接板１１４を６か所形成してある。本実施例では、ＬＥＤ３１を実装したＬＥＤ基板３０及びレンズ３２をそれぞれ６個、環状に配置するようにしてある。
【００５８】
また、切り起こした当接板１１４の縁辺には、放熱効果を高めるため、外周に向かって延設され、適長離隔した２つのフィン１１７、２つのフィン１１７の間に位置し、中央に向かって延設したフィン１１８を設けている。すなわち、１つのＬＥＤ基板３０に対応させて１つの放熱板１３を設ける構成に代えて、第４実施例のように、一体型に形成した放熱板１１３に、ＬＥＤ基板３０を当接させてＬＥＤ基板３０を保持する面を複数形成することもできる。
【００５９】
（第２実施形態、第５実施例）
図１３は本実施の形態の第５実施例の照明装置２００の要部を示す断面図である。第５実施例では、照明装置２００は防水機能を具備し、例えば、浴室の天井に取り付けることができるものである。
【００６０】
照明装置２００は、例えば、合成樹脂製又はガラス製のグローブ（２１０、２１１）を備える。グローブ（２１０、２１１）は、一面（天井側）が開口した箱状であって、非透光性を有し遮光部としての不透明グローブ２１０及び透光性を有する透明グローブ２１１が一体として構成されている。なお、グローブ（２１０、２１１）は、平面視が円形状でもよく、あるいは矩形状であってもよい。また、グローブ（２１０、２１１）は、透光性を有する材料で一体として構成され、グローブ（２１０、２１１）の内側に別の遮光部材を設けてもよい。
【００６１】
天井には、グローブ（２１０、２１１）と略同寸法の外周を有する板状の台座２０１を固定してある。台座２０１の天井との間には、防水用のパッキン２０２を周設してある。台座２０１は、外周部を略Ｌ字状に屈曲してあり、屈曲させた部分に透明グローブ２１１を螺合するためのねじ山を形成してある（螺刻してある）。また、台座２０１と透明グローブ２１１の端部とが当接する箇所には、防水用のパッキン２０３を周設してある。
【００６２】
透明グローブ２１１の内側には、回路基板、電気部品及び電子部品等で構成される電源部２２０を収容した電源ボックス２１４を配置してある。電源部２２０は、後述のＬＥＤ２３１を点灯及び消灯する回路、各ＬＥＤ２３１に流れる電流を調整する回路などを含む。電源部２２０には、ターミナル２０６、電源ケーブル２０５を介して給電される。
【００６３】
電源ボックス２１４の下側（天井と反対側）には、アルミニウムなどの熱伝導性に優れた放熱板２１３を取り付けてある。放熱板２１３は、ＬＥＤ基板２３０を取り付ける取付板を兼ねている。なお、図１３の例では、放熱板２１３の一端側を略Ｓ字状に形成してあるが、放熱板２１３の形状は図１３の例に限定されるものではない。
【００６４】
放熱板２１３には、光源としてのＬＥＤ２３１を複数実装したＬＥＤ基板２３０をお互いに隣接させて、不透明グローブ２１０に対して略垂直になるように環状に配置してある。環状とは、例えば、不透明グローブ２１０の表面に略平行な平面上で、例えば、五角形、六角形、八角形などの多角形、あるいは円形状をなすことをいう。
【００６５】
ＬＥＤ基板２３０は、例えば、矩形状をなす。各ＬＥＤ基板２３０には、複数のＬＥＤ２３１が、例えば、ＬＥＤ基板２３０の長手方向に適長離隔して配置してある。ＬＥＤ２３１は、白色ＬＥＤのみでもよく、電球色ＬＥＤのみでもよく、白色ＬＥＤと電球色ＬＥＤとの組み合わせでもよく、白色ＬＥＤ及び電球色ＬＥＤに青色ＬＥＤを組み合わせてもよく、あるいは白色ＬＥＤ及び電球色ＬＥＤに赤色ＬＥＤを組み合わせてもよい。各色のＬＥＤの数又は数の割合は適宜設定すればよい。
【００６６】
各ＬＥＤ基板２３０のＬＥＤ２３１実装面側には、ＬＥＤ基板２３０の長手方向の寸法と同寸法を有し、ＬＥＤ２３１の光を集光するレンズ２３２を取り付けてある。ＬＥＤ２３１及びレンズ２３２により光源部をなす。ＬＥＤ基板２３０それぞれに対応して、同数のレンズ２３２を環状に配置してある。すなわち、各レンズ２３２それぞれの光軸が所定面に略平行となるようにＬＥＤ２３１を実装したＬＥＤ基板２３０及びレンズ２３２を環状に配置してある。
【００６７】
本実施の形態において、所定面は、照明装置２００を天井面に取り付けた場合、例えば、照明装置２００の最下部（又は光源より下方に位置する部分、例えば、不透明グローブ２１０の表面）を通り天井面と略平行な面とすることができるが、天井面からの所定面の位置（距離）は適宜決定することができる。各レンズ２３２の光軸は、所定面に略平行であるので、光軸は天井面に略平行ということになる。
【００６８】
図１３に示すように、不透明グローブ２１０の表面と同一面を所定面１とする。所定面１に垂直な方向に沿って所定面１からの離隔寸法がそれぞれ最大となるレンズ２３２の出射箇所３２１及び不透明グローブ２１０の外周箇所１０１を繋ぐ周方向の仮想直線２が、不透明グローブ２１０の外周に向かって所定面１に近づくように傾斜してある。すなわち、レンズ２３２から出射した光は、不透明グローブ２１０の外周箇所１０１で遮光されることで、周方向の複数の仮想直線２で画定される仮想平面より下方にはほとんど出射されない。
【００６９】
上述の構成により、第１実施例と同様に、主に天井面と壁面とを照明する間接照明を実現することができる。また、照明装置２００を浴室の天井に取り付けるだけで、従来型の大がかりな設置工事が不要で、簡便かつ安価に間接照明を実現することができ、癒し効果を高い照明を浴室に実現することができる。また、冬用として、さくら色の照明を行い、また夏用として青色の照明を行うことができ、特に照度を下げて使用する場合に、癒し効果をさらに高めることができる。
【００７０】
（第３実施形態、第６実施例）
図１４は本実施の形態の第６実施例の照明装置３００の側面から見た要部を示す断面図であり、図１５は本実施の形態の第６実施例の照明装置３００の上面から見た要部を示す断面図であり、図１６は本実施の形態の第６実施例の照明装置３００の正面から見た要部を示す断面図である。図１５は、図１４の符号Ａで示す方向から見た場合を表し、図１６は、図１４の符号Ｂで示す方向から見た場合を表す。第６実施例では、照明装置３００は防水機能を具備し、例えば、浴室の壁に取り付けることができるものである。
【００７１】
照明装置３００は、例えば、合成樹脂製又はガラス製のグローブ３１１を備える。グローブ３１１は、一面（壁側）が開口した円筒状であって、透光性を有する。壁には、グローブ３１１と略同寸法の外周を有する板状の台座３０１を固定してある。台座３０１の壁との間には、防水用のパッキン３０２を周設してある。台座３０１は、外周部を略Ｌ字状に屈曲してあり、屈曲させた部分にグローブ３１１を螺合するためのねじ山を形成してある（螺刻してある）。また、台座３０１とグローブ３１１の端部とが当接する箇所には、防水用のパッキン３０３を周設してある。
【００７２】
グローブ３１１の内側には、回路基板、電気部品及び電子部品等で構成される電源部３２０を収容した電源ボックス３１４を配置してある。電源部３２０は、後述のＬＥＤ３３１、４３１を点灯及び消灯する回路、各ＬＥＤ３３１、４３１に流れる電流を調整する回路などを含む。電源部３２０には、ターミナル２０６、電源ケーブル２０５を介して給電される。
【００７３】
電源ボックス３１４には、アルミニウムなどの熱伝導性に優れた放熱板３１３を取り付けてある。放熱板３１３は、ＬＥＤ基板３３０、４３０を取り付ける取付板を兼ねている。
【００７４】
ＬＥＤ基板３３０は、矩形状をなし、光源としてのＬＥＤ３３１を複数実装してある。図１５に示すように、照明装置３００は、壁に取り付けた状態で、３枚のＬＥＤ基板３３０のＬＥＤ３３１実装面が天井面に対して略垂直になり、天井面に略平行な面上で、略Ｕ字状になるよう（環状の一部）ＬＥＤ基板３３０を放熱板３１３に取り付けてある。
【００７５】
各ＬＥＤ基板３３０のＬＥＤ３３１実装面側には、ＬＥＤ基板３３０の長手方向の寸法と同寸法を有し、ＬＥＤ３３１の光を集光するレンズ３３２を取り付けてある。ＬＥＤ３３１及びレンズ３３２により光源部をなす。ＬＥＤ基板３３０それぞれに対応して、同数のレンズ３３２を、略Ｕ字状になるよう配置してある。すなわち、照明装置３００を壁に取り付けた状態で、各レンズ３３２それぞれの光軸が天井面に略平行となるようにＬＥＤ３３１を実装したＬＥＤ基板３３０及びレンズ３３２を配置してある。
【００７６】
また、グローブ３１１の下側略半分の内側には、遮光部としての遮光板３１０を設けてある。これにより、ＬＥＤ３３１からの光が、天井面と反対側、すなわち床の方へ出射されることを遮るので、主に天井面と壁面とを照明する間接照明を実現することができる。
【００７７】
具体的には、ＬＥＤ３３１の光は、レンズ３３２で集光され、図１４中符号Ｓ１で模式的に表した２つの破線で囲まれる領域内に主として出射される。また、ＬＥＤ３３１の光は、レンズ３３２で集光され、図１５中符号Ｓ１で模式的に表した２つの破線で囲まれる領域内に主として出射される。これにより、照明装置３００では、主に天井面と壁面とを照明する間接照明を実現することができる。
【００７８】
また、ＬＥＤ基板４３０は、矩形状をなし、光源としてのＬＥＤ４３１を複数実装してある。図１６に示すように、照明装置３００を壁に取り付けた状態で、２枚のＬＥＤ基板４３０それぞれが天井面の壁側を向くように、照明装置３００の外側に向かって下方に傾斜するように配置してある。
【００７９】
各ＬＥＤ基板４３０のＬＥＤ４３１実装面側には、ＬＥＤ基板４３０の長手方向の寸法と同寸法を有し、ＬＥＤ４３１の光を集光するレンズ４３２を取り付けてある。ＬＥＤ４３１及びレンズ４３２により光源部をなす。
【００８０】
図１４に示すように、ＬＥＤ４３１の光は、レンズ４３２で集光され、図１４中符号Ｓ２で模式的に表した２つの破線で囲まれる領域内に主として出射される。これにより、照明装置３００が取り付けられた壁面と当該壁面と交差する天井の壁側付近に向かってＬＥＤ４３１の光を出射することができる。また、図１６に示すように、ＬＥＤ４３１の光は、レンズ４３２の長手方向に向かって拡散され、図１６中符号Ｓ２で模式的に表した２つの破線で囲まれる領域内に主として出射される。これにより、照明装置３００が取り付けられた壁面の天井側付近全体と当該壁面と交差する天井の壁側付近に向かってＬＥＤ４３１の光を出射することができる。これにより、照明装置３００では、主に天井面と壁面とを照明する間接照明を実現することができる。
【００８１】
上述の実施形態において、光源はＬＥＤに限定されるものではなく、有機ＥＬなど他の光源でもよい。また、ＬＥＤとレンズとは、別個のものであったが、ＬＥＤの中にレンズを内蔵した構成とすることもできる。また、本発明の上述の各実施形態、実施例で記載されている技術特徴は、お互いに組み合わせて新しい技術方案を形成することができる。
【００８２】
本実施の形態の照明装置は、光源部（３１、３２）と、該光源部が所定面の方へ出射する光の一部を遮光する遮光部（１０）とを備え、前記光源部は、前記遮光部の外周に向かって光を出射するようにしてあり、前記光源部からの光の出射方向に対して前記遮光部と反対側を開放してあって、前記所定面に垂直な方向に沿って該所定面からの離隔寸法がそれぞれ最大となる前記光源部の出射箇所（３２１）及び前記遮光部の外周箇所（１０１）を繋ぐ周方向の仮想直線が、前記遮光部の外周に向かって前記所定面に近づくように傾斜してあることを特徴とする。
【００８３】
本実施の形態にあっては、照明装置は、光源部（３１、３２）と、光源部が所定面（１）の方へ出射する光の一部を遮光する遮光部（１０）とを備える。照明装置を天井面に取り付けた場合、所定面（１）は、例えば、照明装置の最下部（又は光源より下方に位置する部分）を通り天井面と略平行な面とすることができるが、天井面からの所定面の位置（距離）は適宜決定することができる。光源部の光軸を、所定面に略平行とすると、光軸は天井面に略平行ということになる。
【００８４】
そして、光源部は、遮光部の外周に向かって光を出射する。光源部の光軸は、天井面に略平行となるようにしてあるので、光源部の光を、部屋の周囲の各壁面と天井面とが交差する稜線及び該稜線の近傍の領域に向けて出射することができる。所定面は、天井面と略平行であって、例えば、照明装置の最下部を通る面であるので、遮光部は、光源部の光が下方（例えば、床の方）へ出射するのを遮ることができる。また、光源部からの光の出射方向に対して遮光部と反対側を開放しているので、光源部からの光を天井面の方へ出射することができる。
【００８５】
所定面に垂直な方向に沿って所定面からの離隔寸法がそれぞれ最大となる光源部の出射箇所（３２１）及び遮光部の外周箇所（１０１）を繋ぐ周方向の仮想直線（２）が、遮光部の外周に向かって所定面（１）に近づくように傾斜してある。すなわち、光源部からの光は、遮蔽部の外周箇所で遮光されることで、周方向の複数の仮想直線で画定される仮想平面より下方にはほとんど出射されない。上述の構成により、グレアの発生を防止し、照明装置を天井面に取り付けるだけで、各壁面と天井面とが交差する稜線及び該稜線の近傍の領域、すなわち天井面の壁面側の一部及びすべての壁面の天井面側の一部を間接照明することができる。そして、１台の照明装置により、コーブ照明とすべての壁面にコーニス照明とを設置したのと同様の間接照明を安価、かつ簡単に実現することができる。
【００８６】
本実施の形態の照明装置は、前記光源部の光軸と前記遮光部との間に、前記遮光部の外周に向かって前記所定面から離隔するように傾斜させた反射部（１９）を備えることを特徴とする。
【００８７】
本実施の形態にあっては、光源部の光軸と遮光部との間に、遮光部の外周に向かって所定面から離隔するように傾斜させた反射部（１９）を備える。反射部は、遮光部の外周に向かって所定面から離隔するように傾斜させてあるので、光源部からの光を、光軸に沿った方向へ反射させることができ、各壁面と天井面とが交差する稜線又は該稜線の近傍の領域の方へ反射させることができる。
【００８８】
本実施の形態の照明装置は、天井面に取り付けるための取付部（１６）を備え、該取付部を前記天井面に取り付けた状態で、前記天井面に垂直な方向に沿って前記遮光部が前記光源部よりも前記天井面から離隔するようにしてあることを特徴とする。
【００８９】
本実施の形態にあっては、天井面に取り付けるための取付部（１６）を備え、取付部を天井面に取り付けた状態、すなわち、照明装置を天井面に取り付けた状態で、天井面に垂直な方向に沿って遮光部が光源部よりも天井面から離隔している。これにより、光源からの光が、天井面と反対側、すなわち床の方へ出射されることを遮るので、主に天井面と壁面とを照明する間接照明を実現することができる。
【００９０】
本実施の形態の照明装置は、前記光源部はレンズ（３２）を有していることを特徴とする。
【００９１】
本実施の形態にあっては、光源部は、レンズ（３２）を有しているので、レンズは、例えば、集光レンズである。光源部は、遮光部の外周に向かってレンズの光軸に略平行な光を出射する。光源部からの光はレンズで光軸に略平行となるように集光される。レンズの光軸は、天井面に略平行となるので、光源部の光を、部屋の周囲の各壁面と天井面とが交差する稜線及び該稜線の近傍の領域に向けて出射することができる。
【００９２】
本実施の形態の照明装置は、前記光源部（３１、３２）は環状に配置されていることを特徴とする。
【００９３】
本実施の形態にあっては、光源部（３１、３２）は環状に配置されている。環状とは、所定面に略平行な平面上で、例えば、五角形、六角形、八角形などの多角形、あるいは円形状をなすことをいう。光源部が環状に配置されているので、例えば、４つの壁面で囲まれた部屋の天井面に照明装置を取り付けた場合、光源部からの光を、４つの壁面すべての方向に出射することができる。
【符号の説明】
【００９４】
１  所定面
２  仮想直線
１０  カバー（遮光部）
１６  アダプタ（取付部）
１９  反射板（反射部）
３０、２３０、３３０、４３０  ＬＥＤ基板
３１、２３１、３３１、４３１  ＬＥＤ（光源、光源部）
３２、２３２、３３２、４３２  レンズ（光源部）
１０１  外周箇所
２１０  不透明グローブ（遮光部）
３２１  レンズの出射箇所
【図１】
2015197945.tif 000004
【図２】
2015197945.tif 000005
【図３】
2015197945.tif 000006
【図４】
2015197945.tif 000007
【図５】
2015197945.tif 000008
【図６】
2015197945.tif 000009
【図７】
2015197945.tif 000010
【図８】
2015197945.tif 000011
【図９】
2015197945.tif 000012
【図１０】
2015197945.tif 000013
【図１１】
2015197945.tif 000014
【図１２】
2015197945.tif 000015
【図１３】
2015197945.tif 000016
【図１４】
2015197945.tif 000017
【図１５】
2015197945.tif 000018
【図１６】
2015197945.tif 000019